(57)【要約】本発明はカバーを備えたシート状物（２）を提供する。カバーはヒンジ接続された第１面及び第２面を備える。カバーの内側には第１組の折り目を有するシート材料が接続される。第２面（６）はその内側にポケット（１６）を備え、ポケットの開口は第１面と第２面の間のヒンジ接続部に対向する。
2005509538.tif 000002
【特許請求の範囲】
【請求項１】
シート状物であって、シート状物はカバーを備え、カバーはヒンジ接続された第１面及び第２面を備えており、カバーの内側には第１組の折り目を有するシート材料が接続されており、第２面はその内側にポケットを備え、ポケットの開口は第１面及び第２面の間のヒンジ接続部と対向することを特徴とするシート状物。
【請求項２】
シート材料は第１面の内側に接続されることを特徴とする請求項１に記載のシート状物。
【請求項３】
第１組の折り目は蛇腹型の折り目であることを特徴とする請求項１又は２に記載のシート状物。
【請求項４】
シート材料は更に、第１組の折り目を横断する少なくとも１個の折り目を含むことを特徴とする請求項１乃至３のいずれか１項に記載のシート状物。
【請求項５】
少なくとも１個の折り目は第２組の折り目であることを特徴とする請求項４に記載のシート状物。
【請求項６】
シート材料はシートの一角部分において第１面と接続されており、その部分はシートの折り目或いは縁により画定されることを特徴とする請求項１乃至５のいずれか１項に記載のシート状物。
【請求項７】
シート材料はその部分に硬直部を備えることを特徴とする請求項１乃至６のいずれか１項に記載のシート状物。
【請求項８】
硬直部を備えた部分はシート材料の角部にあり、シートの折り目或いは縁により画定されることを特徴とする請求項７に記載のシート状物。
【請求項９】
第１面及び第２面は折り目を備えた単独の面から形成されており、折り目は第１面及び第２面の間のヒンジ接続部を形成することを特徴とする請求項１乃至８のいずれか１項に記載のシート状物。
【請求項１０】
ポケットは第２面の一部を折り重ねることにより形成されるとともに、第２面に固着されることによりポケットが形成されることを特徴とする請求項１乃至９のいずれか１項に記載のシート状物。
【請求項１１】
ポケットはカバーの第２面の内側に開口を形成するように接続される独立した面から形成されることを特徴とする請求項１乃至９のいずれか１項に記載のシート状物。
【請求項１２】
ポケットは第２面の内側に固定される独立した別個のポケットを含むことを特徴とする請求項１乃至９のいずれか１項に記載のシート状物。
【請求項１３】
ポケットはその内部に自由縁を有さないように形成されることを特徴とする請求項１乃至１２のいずれか１項に記載のシート状物。
【請求項１４】
ポケットの開口縁は凹部或いは切欠部を備えており、使用者はポケットに入れられた物品をより容易に把持することができることを特徴とする請求項１乃至１３のいずれか１項に記載のシート状物。
【請求項１５】
ポケットは、ポケットからの物品の偶発的な抜け落ちは阻止するが、意図的な取り出しは許可する手段を備えることを特徴とする請求項１乃至１４のいずれか１項に記載のシート状物。
【請求項１６】
シート状物であって、シート状物はカバーを備え、カバーはヒンジ接続された第１面及び第２面を備えており、第２面はその内側にポケットを備え、ポケットの開口は第１面及び第２面の間のヒンジ接続部と対向しており、シート状物は第１面から第２面のポケットまで延出可能な舌片を備え、舌片のポケットまでの延出距離は第１面及び第２面のヒンジ接続部周りにおける相対移動により調節可能であることを特徴とするシート状物。
【請求項１７】
シート状物は更に、カバーの内側に接続されるシート材料を含むことを特徴とする請求項１６に記載のシート状物。
【請求項１８】
シート材料は第２面の内側においてポケットに接続されることを特徴とする請求項１６又は１７に記載のシート状物。
【請求項１９】
シート材料はカバー第１面の内側に接続されることを特徴とする請求項１６又は１７に記載のシート状物。
【請求項２０】
シート材料は小冊子を形成するように接続される複数のシートを含むことを特徴とする請求項１７乃至１９のいずれか１項に記載のシート状物。
【請求項２１】
シート材料は第１組の折り目を含むことを特徴とする請求項１７乃至１９のいずれか１項に記載のシート状物。
【請求項２２】
請求項１乃至１５のいずれか１項に記載のシート材料を含むことを特徴とする請求項１６に記載のシート状物。
【請求項２３】
請求項１乃至１５のいずれか１項に記載のポケットを含むことを特徴とする請求項１６に記載のシート状物。
【請求項２４】
第１面及び第２面は請求項１乃至１５のいずれか１項に記載のものと同様であることを特徴とする請求項１６に記載のシート状物。
【請求項２５】
舌片は折り重ねられた第１面の一部を含むことを特徴とする請求項１６乃至２４のいずれか１項に記載のシート状物。
【請求項２６】
舌片はカバーの第１面に接続された別個の面を含むことを特徴とする請求項１５乃至２４のいずれか１項に記載のシート状物。
【請求項２７】
舌片は、ポケット内への舌片の移動の間には、ポケットに挿入された物品を保持するように適切に作用する保持部材を含むことを特徴とする請求項１５乃至２６のいずれか１項に記載のシート状物。
【請求項２８】
保持部材は、物品を保持する凹部を備えるように折り重ねられた舌片の一部を含むことを特徴とする請求項２７に記載のシート状物。
【請求項２９】
舌片は第１位置及び第２位置の間において移動可能であり、第１位置において保持された物品はポケットから第１距離だけ突出し、第２位置において保持された物品はポケットから第２距離だけ突出しており、第２距離は第１距離よりも大きいことを特徴とする請求項１５乃至２８のいずれか１項に記載のシート状物。
【請求項３０】
舌片が第１位置にあるときには、保持された物品はカバーの第１面及び第２面の間のヒンジ接続部を横切り突出しないことを特徴とする請求項２８に記載のシート状物。
【請求項３１】
第２位置において、保持された物品は第１面及び第２面の間のヒンジ接続部を通過して突出することを特徴とする請求項２９又は３０に記載のシート状物。
【請求項３２】
ポケットはクレジットカードサイズの物品を収容するような寸法とされることを特徴とする請求項１５乃至３１のいずれか１項に記載のシート状物。
【請求項３３】
シート状物であって、シート状物はカバーを備え、カバーはヒンジ接続された第１面及び第２面を備えており、カバーはその内側に接続されるシート材料を含み、第２面はポケットを備え、ポケットの開口は第１面及び第２面の間のヒンジ接続部に対向しており、第２面は第２ヒンジを備え、第２ヒンジはポケットに挿入された物品の周縁部が露出するように回転可能であることを特徴とするシート状物。
【請求項３４】
ポケットは第２面の内側又は第２面の外側に接続されることを特徴とする請求項３３に記載のシート状物。
【請求項３５】
シート材料は第１面の内側に接続されることを特徴とする請求項３３又は３４に記載のシート状物。
【請求項３６】
シート材料は小冊子を形成するように接続された複数のシートを含むことを特徴とする請求項３３乃至３５のいずれか１項に記載のシート状物。
【請求項３７】
シート材料は第１組の折り目を含むシート材料であることを特徴とする請求項３３乃至３５のいずれか１項に記載のシート状物。
【請求項３８】
シート材料は請求項１乃至３２のいずれか１項に記載のものと同様であることを特徴とする請求項３３乃至３７のいずれか１項に記載のシート状物。
【請求項３９】
第２ヒンジはポケットの開口と第１面及び第２面間のヒンジ接続部との間に位置することを特徴とする請求項３３乃至３７のいずれか１項に記載のシート状物。
【請求項４０】
第２ヒンジは第２面の折り目を含むことを特徴とする請求項３３乃至３８のいずれか１項に記載のシート状物。
【請求項４１】
ポケットは請求項１乃至３２のいずれか１項に記載のものと同様であることを特徴とする請求項３３乃至４０のいずれか１項に記載のシート状物。
【請求項４２】
第１面及び第２面は請求項１乃至１５のいずれか１項に記載のものと同様であることを特徴とする請求項３３乃至４１のいずれか１項に記載のシート状物。
【請求項４３】
添付の図面を参照してここに詳述したものと略同様なシート状物。
【発明の詳細な説明】
【技術分野】
【０００１】
本発明はシート状物に関する。本発明はまた、シート状物を含むキットに関する。
【背景技術】
【０００２】
カードカバーを備え、その第１面及び第２面が折り畳まれることにより前カバー及び背カバーとなるシート状物を提供することは周知である。一方のカバーの内側にはポケットが形成される。複数のシートがカバーの折り目に接着されることにより、前カバー及び背カバーの側面に位置する小冊子を供えた物品もまた周知である。
【０００３】
エクスリン（Ｅｘｌｉｎｅ）による特許文献１は財布サイズの小型の小冊子を開示している。小冊子は折り重ねられた単独のシート材料から形成される前カバー及び背カバーを有するとともに、小冊子を形成するように折り目に接着される複数のシートを含む。前カバーはまた、その上に接着されるポケットを有する。ポケットの開口はカバーの折り目を横断するように向けられる。ポケットに配置された物品は不注意にポケットから滑り落ちることがあり、また、ポケットの開口は折り目即ちカバーから離れる方向に向けられているので、物品は障害となる物がなくポケットから随意に落ちてしまう。更に、小冊子に掲載された情報は複数のシートに記載されていることから探すのが比較的困難であり、また情報の一部のみしか一度に読むことができず、利用者は情報の別の部分を検索するためにはシートをめくらなければならない。
【０００４】
エクスリンによる特許文献２は財布サイズのカード状小冊子を開示している。小冊子のカバーは前カバー及び背カバーを有しており、それらのカバーはその間の折り目により分離させられている。小冊子はまた、前カバーの内側に形成されたポケットを含む。ポケットの開口はカバーの折り目と対向する。小冊子はまた、折り目に接着されるとともに、折り目から離間するように延出することにより小冊子を提供する複数のシートを含む。折り目と対向する開口を備えたポケットを有することにより、ポケットに挿入された物品は不注意に小冊子から落ちることが少なくなるが、小冊子形状での情報の提供に関しては同じ問題が残る。
【０００５】
エクスリンによる特許文献３はカバーを備えた財布サイズのカード状小冊子を開示している。カバーは折り畳まれる前面及び背面を有する。カバーは前カバーの内側に形成されるポケットを含み、ポケットはカバーの折り目の軸と直交するように向けられた開口を有する。カバーはまた、折り目に接着されることにより小冊子を形成する複数のシートを含む。また、小冊子のポケットに配置される物品は、不注意にポケットから滑り落ちることがある。これはポケットの開口がカバーから離間する方向に向けられており、物品が不注意に落ちることがないようにする保護が設けられていないことに起因する。更に、小冊子形状において情報を提供するものであることから、一定の情報片の配置に関する問題が引き起こされるとともに、より大きな情報片の単独の小冊子シートへの印刷に関する問題が引き起こされる。
【特許文献１】米国特許第６１２０２２８号
【特許文献２】米国特許第６０８９６０８号
【特許文献２】米国特許第５５９５４０１号
【発明の開示】
【発明が解決しようとする課題】
【０００６】
従って、本発明の好適な実施形態の目的は、ここに明確に開示されているか否かに拘わらず、従来技術に関連する少なくとも１個の問題を解決或いは軽減することにある。
【課題を解決するための手段】
【０００７】
本発明の第１の態様ではカバーを備えたシート状物を提供する。カバーはヒンジ接続された第１面及び第２面を備える。カバーの内側には第１組の折り目を有するシート材料が接続される。第２面はその内側にポケットを備える。ポケットの開口は第１面及び第２面の間のヒンジ接続部と対向する。
【０００８】
適切には、シート材料は第１面の内側に接続される。
或いは、シート材料は第２面の内側に設けられたポケットに接続される。
好適には、第１組の折り目は蛇腹型の折り目である。
【０００９】
適切には、シート材料は更に、第１組の折り目、好適には第２組の折り目を横断する少なくとも１個の折り目を備える。好適には、第２組の折り目は蛇腹型の折り目である。
適切には、シート材料はその一部に硬直部を備える。
【００１０】
適切には、シート材料はシートの一部の一角部において第１面と接続されており、その一部はシートの折り目或いは縁により画定される。
好適には、硬直部を備えた部分はシート材料の別の角部にあり、シートの折り目或いは縁により画定される。
【００１１】
好適には、第１面及び第２面は折り目を備えた単独の面から形成されており、折り目は第１面及び第２面の間のヒンジ接続部を形成する。
或いは、第１面及び第２面は、例えば接着、縫合、ステープル、接合等により、又は独立した接続部材や接続面により、又はシート材料自体によりヒンジ接続される独立した面を備えてもよい。
【００１２】
好適には、ポケットは第２面の一部を折り重ねることにより形成されるとともに、第２面に固着されることによりポケットが形成される。適切には、ポケットは接着、縫合、ステープル、接合等により第２面に接着される。
【００１３】
或いは、ポケットはカバーの第２面の内側に開口を形成するように接続される独立した面から形成される。独立した面は接着、縫合、ステープル、接合等の適切な手段により接続される。
【００１４】
ポケットは第２面の内側に固定される独立した別個のポケットを含む。独立したポケットは接着、縫合、ステープル、接合等により固定される。
適切には、ポケットはその内部に自由縁を有さないように形成される。
【００１５】
ポケットの開口縁は凹部或いは切欠部を備えており、使用者はポケットに入れられた物品をより容易に把持することができる。
ポケットは、ポケットからの物品の偶発的な抜け落ちは阻止するが、意図的な取り出しは許可する手段を備える。
【００１６】
本発明の第２の態様では、カバーを備えたシート状物を提供する。カバーはヒンジ接続された第１面及び第２面を備える。第２面はその内側にポケットを備える。ポケットの開口は第１面及び第２面の間のヒンジ接続部と対向する。シート状物は第１面から第２面のポケットまで延出可能な舌片を備える。舌片のポケットまでの延出距離は、第１面及び第２面のヒンジ接続部周りにおける相対移動により調節可能である。
【００１７】
適切には、シート状物は更に、カバーの内側に接続されるシート材料を含む。
シート材料は第２面の内側においてポケットに接続されてもよい。
適切には、シート材料はカバー第１面の内側に接続される。
【００１８】
シート材料は小冊子を形成するように接続される複数のシートを含む。
好適には、シート材料は第１組の折り目、好適には蛇腹型の折り目を備えたシート材料を含む。シート材料は好適には本発明の第１の態様において詳述したものと同様である。
【００１９】
適切には、ポケットは本発明の第１の態様において詳述したものと同様である。
カバー、第１面及び第２面は本発明の第１の態様において詳述したものと同様であってもよい。
【００２０】
適切には、舌片は折り重ねられた第１面の一部を含む。或いは、舌片はカバーの第１面に接続される独立した面を含んでもよい。
適切には、舌片は、ポケット内における舌片の移動の間には、ポケットに挿入された物品を保持するように適切に作用する保持部材を含む。
【００２１】
好適には、舌片は第１位置及び第２位置の間において移動可能であり、第１位置において保持された物品はポケットから第１距離だけ突出し、第２位置において保持された物品はポケットから第２距離だけ突出する。第２距離は第１距離よりも大きい。好適には、舌片が第１位置にあるときには、保持された物品はカバーの第１面及び第２面の間のヒンジ接続部を横切り突出しない。
【００２２】
第２位置において、保持された物品は第１面及び第２面の間のヒンジ接続部を通過して突出する。
適切には、保持部材は舌片の一部、好適には舌片の先端部分を含み、折り重ねられることにより物品を保持する凹部が供与される。或いは、保持部材は舌片に接続される独立した部材を含む。
【００２３】
好適には、ポケットはクレジットカードサイズの物品を収容するような寸法にされる。クレジットカードサイズの物品とは、略８．５ｃｍの長さと５ｃｍの幅を備えた物品を意味する。適切には、ポケットはクレジットカードサイズの物品よりも僅かに大きい寸法を備えており、物品は容易にそして適切にポケットに嵌合する。
【００２４】
本発明の第３の態様では、カバーを備えたシート状物を提供する。カバーはヒンジ接続された第１面及び第２面を備える。カバーはその内側に接続されるシート材料を含む。第２面はポケットを備え、ポケットの開口は第１面及び第２面の間のヒンジ接続部に対向する。第２面は第２ヒンジを備え、第２ヒンジはポケットに挿入された物品の周縁部が露出するように回転可能である。
【００２５】
ポケットは第２面の内側又は第２面の外側に接続されてもよい。
適切には、シート材料は第１面の内側に接続される。
或いは、シート材料は第２面の内側に設けられたポケットに接続されてもよい。
【００２６】
シート材料は小冊子を形成するように接続された複数のシートを含んでもよい。しかし、好適にはシート材料は第１組の折り目、好適には蛇腹型の折り目を備えたシート材料である。
【００２７】
シート材料は本発明の第１及び／又は第２の態様において詳述したものと同様である。
適切には、第２ヒンジはポケットの開口と第１面及び第２面間のヒンジ接続部との間に位置する。
【００２８】
好適には、第２ヒンジは第２面の折り目を含む。
ポケットは好適には本発明の第１及び／又は第２の態様において詳述したものと同様である。
【００２９】
カバー、第１面及び第２面は本発明の第１の態様において詳述したものと同様であってもよい。
【発明を実施するための最良の形態】
【００３０】
最初に図１及び図２に示すように、シート状物２はカバー４を有する。カバー４は第１面６及び第２面８を含み、第１面６及び第２面８は同じシート材料から形成されるとともに、カバー４に形成された折り目１０の周りにおいてヒンジ接続される。第１面８の内側には、蛇腹型に折り畳まれたシート材料１２が接続される。第２面６はポケットカバー１６を備えたポケット１４を含む。ポケットカバー１６は第２面６の一部を折り畳み、且つ折り畳まれたポケットカバー１６の側縁１７，１９を第２面に接着することにより形成されており、これによりポケット１４が形成される。このような形態において、ポケットの開口１８は第１面８及び第２面６の間に設けられた折り目１０と対向する。開口１８はまた、サムカット２０を含む。
【００３１】
図１及び図２において、シート状物２はポケット１６を有する。ポケット１６は略クレジットカードの大きさを備えるとともに、クレジットカード或いは同じ大きさの情報カード等クレジットカードサイズ品目を収容するように構成される。図１及び図２に示すシート状物２は、第１面８、第２面６及びポケット１６の向きが相違するだけである。すなわち、図１ではカバー４は横長の向きおいて第１面８及び第２面６とヒンジ接続されているのに対して、図２のカバー４では第１面８及び第２面６は縦長の向きとされている。従って、図１のポケット１４に挿入されるように構成されたクレジットカードサイズ品目は、その一方の短縁が最初に入れられることにより挿入されるのに対して、図２のシート状物２では、クレジットカードサイズ品目の一方の長縁がポケット１４に最初に入れられるように挿入される。
【００３２】
図１及び図２のいずれにおいても、シート状物２のポケット１４の開口縁１８の縁はカバー４の折り目１０に向けられているので、品目がポケット１４に挿入され、且つカバー４が折り目１０の周りにおいて折り畳まれると、カバー４及び折り目１０の障壁効果によりクレジットカードサイズの品目は効果的にポケット１４内に保持されて、不注意に取り出されたり滑り落ちたりすることがない。更に、このような形態では、蛇腹型に折り畳まれたシート材料１２によって多量の情報がシート材料に配置されることとなり、単に蛇腹材料を広げるだけで一度で調べることができる。従って、一度で見る人に提示することが可能な最大量の情報を有する広い表面積のシートが提供される。これにより、小冊子のページに掲載された情報を得るためには、ページをめくって関連情報を探さなければならないという問題を解決することができる。また、ページをめくる方式の小冊子では、品目を開口１８から引き出す際に小冊子の背と干渉するかもしれない。
【００３３】
図１及び図２に示す実施形態の別の実施形態（図示なし）では、シート材料１２は第１面８にではなくポケット１４に接続されてもよい。
図３、図４、図５Ａ及び図５Ｂには、図１及び図２のシート状物と同様のシート状物２が示されている。同じ符号は同じ構成要素を表している。図３及び図４に示すシート状物２の実施形態では、カバー４は２箇所の折り目１０及び１１においてヒンジ接続された第１面８及び第２面６を有する。シート状物２はまた、旋回軸９において接着により第１面８に接続される舌片２２を有する。舌片２２はポケット１４まで延出する。舌片２２はまた保持部材２４を含む。保持部材２４は舌片２２の先自由端がポケット１４内において折り曲げられた形状を有する。
【００３４】
使用に際して、シート状物２のカバー４が折り目１０の周りで広げられると、第１及び第２面８、６は図５Ａに示すように鈍角を形成する。この状態において、クレジットカードサイズの品目は、保持部材２４により形成された凹部に当接するまでポケット１４内の舌片２２上に挿入される。
【００３５】
シート状物２を閉じる時には、第１及び第２面８，６は折り目１０の周りで相互に向かって折り畳まれる。第１及び第２面８，６が接近すると、図５Ｂに示すように、舌片２２は旋回点９の周りを旋回するとともに、保持部材２４を有する舌片２２の先自由端はポケット１４内を更に奥へ移動する。更に、図５Ｂに示すように効果的な間隔面１３を備えることから、第２面６が折り目１１の周りで旋回すると、舌片２２はポケット１４内を更に奥へ移動する。
【００３６】
蛇腹型シート材料１２は比較的平坦に収められるので、第１及び第２面８，６が折り畳まれると、比較的平坦なクレジットカードサイズのシート状物２が提供される。
ポケット１４内にあるクレジットカードサイズの品目を取り出したいときには、図５Ａに示すように、第１及び第２面８，６は鈍角を形成するようになるまで折り目１０，１１の周りで広げられる。第１及び第２面８，６が広げられると、舌片２２は旋回軸９の周りを旋回して、ポケット１４から所定範囲だけ引き出される。保持部材２４が存在するため、ポケット１４内にあるクレジットカードサイズの品目もまた舌片２２と共に引き出され、クレジットカードサイズの品目の大部分がポケット１４の開口１８を越えて引き出される。このような状態では、クレジットカードサイズの品目は使用者により把持されるととともにシート状物２から取り出される。
【００３７】
また、図１及び図２の実施形態と同様に、ポケット１４の開口縁１８の向きは折り目１０に向けられているので、シート状物２が折り畳み状態にあるときには、第１及び第２面８，６及び間隔面１３の保持性質により、クレジットカードサイズの品目が不注意に滑り落ちたり或いは取り出されたりすることがない。
【００３８】
図３及び図４において詳述された実施形態と同様な他の実施形態では、蛇腹型シート材料１２は紙ページの小冊子やカード等と取り替えられてもよい。
図６に示すように、本発明に係るシート状物２の別の好適な実施形態では、舌片２２は第１面８の折り畳まれた部分が第１面８に接着されることにより形成されている。舌片２２はまた、折り目形状を有する旋回軸２６を有しており、旋回軸２６により舌片２２は回転可能とされる。図６に示す実施形態の作用は、図３、図４、図５Ａ及び図５Ｂに示す実施形態の作用と基本的に同じである。
【００３９】
図７、図８、図９、図１０、図１１Ａ及び図１１Ｂには、図１及び図２の実施形態のシート状物２と同様のシート状物２が示されている。同じ符号は同じ構成要素を表している。図７及び図８のシート状物２の実施形態では、カバー４は第１面８及び第２面６を有しており、第１面８及び第２面６はカバー４に設けられた折り目１０によりヒンジ接続される。第１面８は第２ヒンジ２８を含み、第２ヒンジ２８はカバー４に設けられた第２の折り目により形成される。第２ヒンジ２８はポケット１４の開口１８と折り目１０の間に位置する。第２ヒンジ２８のポケット１４の開口１８からの距離は、図９及び図１０に示すように、クレジットカード３０等のポケット１４に挿入される品目が第１面８の第２ヒンジ２８を越えて延出するように設定される。
【００４０】
図７及び図８に示す一方の実施形態と図９及び図１０に示す他方の実施形態の相違点は、カバー４及びポケット１４の大きさと向きである。図７及び図８に示す実施形態では、カバー４及びポケット１４の大きさと向きは、クレジットカード３０或いは同様な大きさを有する品目の一方の短縁がポケットからカバーの折り目１０へ向けて突出して周縁部が見えるように設定される。
【００４１】
図７、図８、図９及び図１０に示す実施形態は、図１及び図２の実施形態と同様に作用する。
次に図１１Ａ及び図１１Ｂに示すように、使用に際してシート状物２のカバー４は折り目１０の周りで広げられて、図１１Ａに示すように、第１面８及び第２面６は相互に鈍角を形成するように位置させられる。次にクレジットカード３０或いは同様な大きさの物品はポケット１４内に配置され、所望であればカバー４は折り目１０の周りで折り畳まれて、第１及び第２面は実質的に近接し且つ面一となるように移動させられる。
【００４２】
クレジットカード３０を取り出したいときには、最初にカバー４が図１１Ａに示す位置まで広げられる。次に、図１１Ｂに示すように、クレジットカード３０の周縁部３４が現れて使用者が容易に引き抜くことができるようになるまで、第１面８の先端部は第２ヒンジ２８の周りで回転させられる。クレジットカードの周縁部３４は第２面６の水平面の角度上で現されるので、使用者は指で容易に周縁部３４を把持することができ、最初にカード或いはポケット開口１８をこじあけようとする必要がない。
【００４３】
図１２について言及すると、シート状物の第８実施形態は図１及び図２のシート状物と同様である。同じ符号は同じ構成を表している。
図１２のシート状物２は、図１に示す実施形態と同様に、第１面８及び第２面６を含むカバーを有するとともに、更に折り目３８を介して第１面８とヒンジ接続される第３面３６を含む。折り目３８は第１面８と第３面３６の間に位置する。
【００４４】
図１２に示す実施形態の使用方法は図１に示す実施形態と同様であるが、最初に第２面６或いは第３面３６が各々の折り目１０或いは３８の周りで折り畳まれ、次に第２或いは第３面の他方が各々の折り目で折り畳まれて先に畳まれた物の上へ重ねられる点が異なる。
【００４５】
余分に折り畳まれた面により、ポケット１４に配置された物品は不注意に滑り落ちたり取り出されたりすることがない。
他の実施形態 (図示なし) では、第２ポケットは第３面３６の内側に接続されており、別の物品を保持するようにしてもよい。代わりに或いは加えて、第３面３６はその内側に、或いは存在するのであれば第２ポケットに接続される第２シート材料を有してもよい。
【００４６】
図１３について言及すると、シート状物の第９実施形態は図７、図８及び図１２の実施形態と同様である。同じ符号は同じ構成要素を表している。
図１３に示す実施形態のカバー４は、図１２に示す実施形態に対する詳述と同様に、第３面３６を含む。図１３に示す実施形態の第２面６及び第３面３６はまた、第２及び第３面の折り目から形成される第２ヒンジ２８，４０を各々含む。
【００４７】
第３面３６はまた、第２ポケット４２を含む。
図１３に示す実施形態の利用方法は、基本的に図７及び図１２の実施形態の利用方法を組み合わせたものである。従って、クレジットカード或いは同様な大きさの物品は各ポケット１４及び４２に配置され、周縁部は折り目２８、４０の各々を越えて延出する。シート状物は次に、図１２の実施形態において詳述したように折り畳まれる。
【００４８】
クレジットカードの一方或いは両方を取り出したい時には、シート状物２は折り目１０及び３８の周りで広げられ、次に第２面６及び／或いは第３面６の先端部が折り目２８及び４０の周りで回転させられることにより、クレジットカードの周縁部が第１面８及び／或いは第３面３６の水平面から飛び出て、使用者が容易に取り扱うことができるようになる。
【００４９】
更に別の実施形態では、シート材料はポケット１４及び３６の一方或いは両方と接続されてもよい。
次に図１４について言及すると、第１０実施形態は図４及び図１２に示す実施形態と同様である。同じ符号は同じ構成要素を表している。
【００５０】
図１４のシート状物２は、図１２の実施形態において詳述したようにカバー４の第３面３６を含むとともに、図４の実施形態において詳述したように舌片２２を含む。
図１４に示す実施形態の使用方法は、基本的に図４及び図１２の実施形態において詳述した使用方法を組み合わせたものである。
【００５１】
図１４に示す実施形態と同様な他の実施形態では、第３面は第２ポケット及び第２ポケットまで延出する第２舌片を含む。第２面及び第３面に設けられたポケットは接続させられたシート材料を含む。第３面に第２ポケットが設けられない場合には、第２シート材料は第３面の内側に直接的に接続される。
【００５２】
図１５はカードシート４４を示す。カードシート４４は本発明のシート状物に接続されるポケットを形成するのに適している。ポケットはポケット内まで延出する内縁を有していない。従って、ポケットに入れられる物品は隆起縁により妨げられたり或いは引っ掛けられたりすることがなく、ポケットを破損させたり、或いは物品の取り出しが困難になることがない。
【００５３】
カードシート４４は第１面４６、第２面４８、第３面５０及び第４面５１を備える。第１面４６はカードシート４４に設けられた折り目５２、５４の各々を介して各第２面４８、第３面５０及び第４面５１とヒンジ接続される。第２面４８は折り目５２に沿って第１面４６の下縁と第２面の上端の間において接続される。第３面５０及び第４面５１は折り目５４に沿って第１面４６の側縁において接続される。従って、カードシート４４の形状は基本的に十字形であり、第３面５０及び第４面５１が十字の腕部を形成するとともに、第２面４８が軸部を形成している。
【００５４】
第３面５０及び第４面５１は第１面４６及び第２面４８よりも小さい幅を有する。
第１面はまた、その自由縁５８に切欠部５６を備える。
使用に際して、ポケットを形成するには、最初に第２面４８を折り目５２の周りで折り畳み、第２面４８の先端縁６０を第１面の自由縁５８と略平行に位置させつつ、第２面及び第１面を略面一且つ平行とする。
【００５５】
第３面５０及び第４面５１は次に折り目５４の周りにおいて第２面４８の上に折り重ねられ、且つ適切な接着剤により第２面に接着される。従って、形成されるポケットは、ポケット内まで延出する内縁を有さない。
【００５６】
次にポケットは、接着、縫合、ステープル等の適切な手段により、本発明に係るシート状物の第１面の内側に接続される。
図１６は図１２に示すシート状物と同様なシート状物を示す。同じ符号は同じ特徴を表している。図１６に示す実施形態では、シート状物２は横長の向きで接続された第１面８と第２面６と第３面３６とを備える。第３面３６は第２ポケット４２を備えており、第２ポケット４２の開口４４は折り目１０及び３８に対して直角に面するように向けられる。このようにして、クレジットカード或いは同様の品は、その長縁が一番先に挿入されるようにして第２ポケット４２に挿入される。
【００５７】
図１６の実施形態と同様な他の実施形態では、第１ポケットはその内部まで延出する舌片を含む。第２面及び第３面に設けられたポケットはまた、折り畳まれたシート材料を含む。
【００５８】
図１７は図７、図８、図９、図１０、図１１Ａ及び図１１Ｂに示すものと同様なシート状物の実施形態を示す。同じ符号は同じ特徴を表している。図１７に示す実施形態では、シート状物は第１折り目１０と第２折り目４５と第３折り目４６をカバー４に備える。第２折り目４５は図７、図８、図９、図１０、図１１Ａ及び図１１Ｂに示す実施形態に設けられる第２ヒンジ２８の位置と同じ位置にある。第３折り目４６は第２面６においてポケット１８の開口と第２折り目４５の間に位置する。
【００５９】
この実施形態は特に、シート材料１２が折り畳まれた時に奥行きが第１面８から大きく飛び出る場合に有用である。使用に際して、シート材料１２が折り畳まれると、カバーは最初に折り目１０の周りにおいて折り畳まれて、第１面８及び第２面６は相互に接近するように移動させられる。次にカバー４が第２折り目４５の周りにおいて折り畳まれることにより、カバーは略Ｃ字型を形成し、第１折り目１０と第２折り目４５の間の面４８が文字Ｃの背部となる。従って、Ｃ字形状の背部は第１面８と第２面６の間に空間を提供し、そこに折り畳まれたシート１２が位置する。第３折り目４６は図７、図８、図９、図１０、図１１Ａ及び図１１Ｂの実施形態に設けられた第２折り目２８と同じ方法で使用され、ポケット１８内にある物品を第２面６の水平面から飛び出た状態にする。
【００６０】
読者の注目は、本願に関連して本明細書と同時に或いは以前に提出されるとともに、本明細書と共に公開された全ての論文及び文章に向けられるものであり、且つそのような論文及び文章全ての内容は言及によりここに組み込まれる。
【００６１】
本明細書に開示された全ての特徴（付随するクレーム、要約書及び図面を含む）及び／又はそのように開示された全ての方法或いは過程の工程は、少なくとも幾つかの特徴及び／又は工程が相互に相容れないような組み合わせを除き、いかなる組み合わせにより結合されてもよい。
【００６２】
本明細書に開示された各特長（付随するクレーム、要約書及び図面を含む）は同じ、同等或いは同様な目的を達成することが可能な代替の特徴により取り替えられてもよいが、そうでないと明白に言及された場合を除く。従って、そうでないと明白に言及されていないのであれば、開示された各特徴は、同等或いは同様な特徴の一般的な系列の中の一例に過ぎない。
【００６３】
本発明は前述した実施形態の詳細に限定されない。本発明は、本明細書に開示された特徴（付随するクレーム、要約書及び図面を含む）の新規なもの或いは新規な結合まで拡大し、また、これまで開示された方法或いは過程における工程の新規なもの或いは新規な結合まで拡大する。
【図面の簡単な説明】
【００６４】
【図１】本発明に係るシート状物の第１実施形態を示す平面図。
【図２】本発明に係るシート状物の第２実施形態を示す平面図。
【図３】本発明に係るシート状物の第３実施形態を示す平面図。
【図４】本発明に係るシート状物の第４実施形態を示す平面図。
【図５】Ａはシート状物が部分的に広げられた第１状態である図４のシート状物のＡ−Ａ線断面図。Ｂはシート状物が部分的に折り畳まれた第２状態である図４のＡ−Ａ線断面図。
【図６】本発明に係るシート状物の第５実施形態を示す側面図。
【図７】本発明に係るシート状物の第６実施形態を示す平面図。
【図８】図７の実施形態においてカード状物がポケットに挿入された状態を示す平面図。
【図９】本発明に係るシート状物の第７実施形態を示す平面図。
【図１０】図９の実施形態においてカード状物がポケットに挿入された状態を示す平面図。
【図１１】Ａは部分的に折り畳まれた第１状態であって、カード状物がカバーの折り目まで延出した状態を示す図１０のＢ−Ｂ線断面図。Ｂは部分的に広げられた第２状態であって、カバーの第１面に設けられた第２ヒンジが回転することによりカード状物の周縁部がカバーから離間させられた状態を示す図１０のＢ−Ｂ線断面図。
【図１２】本発明に係るシート状物の第８実施形態を示す平面図。
【図１３】本発明に係るシート状物の第９実施形態を示す平面図。
【図１４】本発明に係るシート状物の第１０実施形態を示す平面図。
【図１５】本発明のシート状物に取り付けられるポケットとして使用される成形カードシートを示す平面図。
【図１６】本発明に係るシート状物の第１１実施形態を示す平面図。
【図１７】本発明に係るシート状物の第１２実施形態を示す平面図。
【図１】
2005509538.tif 000003
【図２】
2005509538.tif 000004
【図４】
2005509538.tif 000005
【図３】
2005509538.tif 000006
【図５Ａ】
2005509538.tif 000007
【図５Ｂ】
2005509538.tif 000008
【図６】
2005509538.tif 000009
【図７】
2005509538.tif 000010
【図８】
2005509538.tif 000011
【図９】
2005509538.tif 000012
【図１０】
2005509538.tif 000013
【図１１Ａ】
2005509538.tif 000014
【図１１Ｂ】
2005509538.tif 000015
【図１２】
2005509538.tif 000016
【図１３】
2005509538.tif 000017
【図１４】
2005509538.tif 000018
【図１５】
2005509538.tif 000019
【図１６】
2005509538.tif 000020
【図１７】
2005509538.tif 000021
【国際調査報告】
2005509538.tif 000022
2005509538.tif 000023
2005509538.tif 000024